(57)【特許請求の範囲】
【請求項１】
輸注液が収容された輸液ボトルに接続されるチューブの途中に配置され、前記チューブを流動する前記輸注液の流動速度を一定に保持する減圧流路が内部に設けられると共に、前記輸注液を溜めることができる輸注液溜まりが内部に設けられた流量制御チップにおいて、
前記減圧流路は、前記輸注液の流動方向に沿った下流端が前記輸注液溜まりに接続され、
前記輸注液溜まりは、メッシュフィルタによって第１室と第２室とに分けられ、
前記第１室には、前記減圧流路の下流端が接続され、
前記第２室には、前記メッシュフィルタを通過した前記輸注液を前記輸注液の流動方向下流側へ供給する輸注液供給路が接続された、
ことを特徴とする流量制御チップ。
【請求項２】
輸注液が収容された輸液ボトルに接続されるチューブの途中に配置され、前記チューブを流動する前記輸注液の流動速度を一定に保持する減圧流路が内部に設けられると共に、前記輸注液を溜めることができる輸注液溜まりが内部に設けられた流量制御チップにおいて、
前記減圧流路は、前記輸注液の流動方向に沿った下流端が前記輸注液溜まりに接続され、
前記減圧流路と前記輸注液溜まりとの間に輸液速度監視用輸注液溜まりが設けられ、
前記輸液速度監視用輸注液溜まりは、前記減圧流路から滴下する輸注液を溜めることができるようになっており、前記減圧流路から滴下する前記輸注液を外部から視認できるように開口する観察窓を有し、前記観察窓が弾性変形可能で且つ透明な合成樹脂材料製フィルムで塞がれ、前記フィルムが揉むように複数回操作されることにより、輸液ボトル側の輸注液を導き入れることができるようになっている、
ことを特徴とする流量制御チップ。
【請求項３】
前記請求項１又は２に記載の流量制御チップと、
前記流量制御チップよりも前記輸注液の流動方向下流側の前記チューブに配置され、前記チューブの流路を開閉する開閉弁と、
を有することを特徴とする輸液セット。
【発明の詳細な説明】
【技術分野】
【０００１】
この発明は、輸液（点滴）等に使用されて、輸注液等の流体を所定量だけ流動させることを可能にする流量制御チップ、及びこの流量制御チップを備えた輸液セットに関する。
【背景技術】
【０００２】
従来から、患者への薬剤等の投与には、輸液セット（点滴セット）を使用した輸液（点滴）が行われている。この輸液セットを使用した輸液は、単位時間当たりの薬剤等の投与量（輸液速度）が医師によって決定され、看護師が医師の決定通りの輸液速度になるように輸液セットを操作している。
【０００３】
図６は、従来の輸液セット１００の使用状態を示す図である。この図６に示すように、輸液セット１００は、輸液スタンド（図示せず）に吊された輸液ボトル１０１に差し込まれるボトル針１０２と、ボトル針１０２が一端に取り付けられたチューブ１０３と、このチューブ１０３の他端に取り付けられて患者の体に差し込まれる留置針１０４と、ボトル針１０２と留置針１０４との間に配置される点滴筒１０５と、点滴筒１０５と留置針１０４との間に配置されるクレンメ１０６と、を備えている。この図６に示す輸液セット１００において、クレンメ１０６は、輸液速度を調整する機能を有している。また、点滴筒１０５は、輸液に使用する輸注液（薬剤、栄養剤、血液等）の滴下数を観察する部分であり、看護師等が輸注液の滴下数を観察することにより輸液速度を知ることができるようになっている。
【０００４】
図７に示すように、クレンメ１０６は、チューブ１０３がクランプ本体１０７の内部空間に挿通され、ローラ１０８の回転軸１１０がクランプ本体１０７の内部側壁１１１に形成された案内溝１１２にスライド可能に係合され、ローラ１０８が案内溝１１２に沿ってスライド移動させられることにより、ローラ１０８の外周面とクランプ本体１０７のチューブ支持壁１１３との間隔が変化し、ローラ１０８の外周面とチューブ支持壁１１３との間に位置するチューブ１０３の潰し量が変化して、チューブ１０３内を流動する輸注液の絞り量が変えられ、輸液速度が調整される（特許文献１参照）。
【先行技術文献】
【特許文献】
【０００５】
【特許文献１】特開２００２−３３６３５１号公報
【発明の概要】
【発明が解決しようとする課題】
【０００６】
しかしながら、従来の輸液セット１００は、クレンメ１０６のローラ１０８が人為的に操作されることにより、輸液速度が調整されるようになっているため、輸液速度の調整にミスが生じやすい。また、従来の輸液セット１００は、患者等の第３者（医師、看護師等の医療従事者以外の者）によってクレンメ１０６のローラ１０８が不正操作され易く、輸液速度が適正な速度からずらされて、医療事故を生じやすくなる。
【０００７】
そこで、本発明は、人為的操作に起因する輸液速度の調整ミスを防止でき、患者等の第３者による輸液セットの不正操作を防止できる流量制御チップ及びこれを備えた輸液セットを提供する。
【課題を解決するための手段】
【０００８】
本発明に係る流量制御チップ１，３１は、輸注液が収容された輸液ボトル３に接続されるチューブ５の途中に配置され、前記チューブ５を流動する前記輸注液の流動速度を一定に保持する減圧流路２０，４４が内部に設けられると共に、前記輸注液を溜めることができる輸注液溜まり２１，４３が内部に設けられている。そして、前記減圧流路２０，４４は、前記輸注液の流動方向に沿った下流端が前記輸注液溜まり２１，４３に接続されている。また、前記輸注液溜まり２１，４３は、メッシュフィルタ２４，４５によって第１室２５，４６と第２室２６，４７とに分けられている。また、前記第１室２４，４５には、前記減圧流路２０，４４の下流端が接続されている。また、前記第２室２６，４７には、前記メッシュフィルタ２４，４５を通過した前記輸注液を前記輸注液の流動方向下流側へ供給する輸注液供給路２８，５０が接続されている。
【０００９】
また、本発明に係る輸液セット２，３２は、流量制御チップ１，３１と、前記流量制御チップ１，３１よりも輸注液の流動方向下流側のチューブ５に配置され、前記チューブ５の流路を開閉する開閉弁７と、を備えたことを特徴としている。
【発明の効果】
【００１０】
本発明によれば、減圧流路によって所定の輸液速度に保持されるため、人為的操作による輸液速度調整が不要になり、人為的操作に起因する輸液速度の調整ミスを防止でき、患者等の第３者による輸液セットの不正操作を防止することができる。
【図面の簡単な説明】
【００１１】
【図１】本発明の第１実施例に係る流量制御チップ及びこの流量制御チップを備えた輸液セットの使用状態を示す図である。
【図２】流量制御チップの詳細を示す図であり、図２（ａ）は流量制御チップの正面図、図２（ｂ）は図２（ａ）のＡ１−Ａ１線に沿って切断して示す流量制御チップの断面図、図２（ｃ）は流量制御チップの背面図、図２（ｄ）は図２（ａ）の矢印Ｂ１方向から見た流量制御チップの平面図である。
【図３】流量制御チップの詳細を示す図であり、図３（ａ）は輸注液の流動状態を示す流量制御チップの正面図（図２（ａ）に対応する図）、図３（ｂ）は輸注液の流動状態を示す流量制御チップの断面図（図２（ｂ）に対応する図）、図３（ｃ）は輸注液の流動状態を示す流量制御チップの背面図である。
【図４】本発明の第２実施例に係る流量制御チップ及びこの流量制御チップを備えた輸液セットの使用状態を示す図である。
【図５】流量制御チップの詳細を示す図であり、図５（ａ）は流量制御チップの正面図、図５（ｂ）は図５（ａ）のＡ２−Ａ２線に沿って切断して示す流量制御チップの断面図、図５（ｃ）は図５（ａ）の矢印Ｂ２方向から見た流量制御チップの平面図である。
【図６】従来の輸液セットの使用状態を示す図である。
【図７】従来の輸液セットを構成するクレンメの断面図である。
【発明を実施するための形態】
【００１２】
以下、本発明の実施例を図面に基づき詳述する。
【００１３】
［第１実施例］
図１は、本発明の第１実施例に係る流量制御チップ１及びこの流量制御チップ１を備えた輸液セット２の使用状態を示す図である。この図１に示すように、輸液セット２は、輸液スタンド（図示せず）に吊された輸液ボトル３に差し込まれるボトル針４と、ボトル針４が一端に取り付けられたチューブ５と、チューブ５の他端に取り付けられて患者の体に差し込まれる留置針６と、ボトル針４と留置針６とを接続するチューブ５の途中に配置される流量制御チップ１と、流量制御チップ１と留置針６との間のチューブ５に配置される開閉弁７と、を備えている。この図１に示す輸液セット２は、図６に示した従来の輸液セット１００と比較して、従来の輸液セット１００の点滴筒１０５とクレンメ１０６を流量制御チップ１と開閉弁７に置き換えた構成になっている。
【００１４】
図２乃至図３は、流量制御チップ１の詳細を示す図である。なお、図２（ａ）は流量制御チップ１の正面図、図２（ｂ）は図２（ａ）のＡ１−Ａ１線に沿って切断して示す流量制御チップ１の断面図、図２（ｃ）は流量制御チップ１の背面図、図２（ｄ）は図２（ａ）の矢印Ｂ１方向から見た流量制御チップ１の平面図である。また、図３（ａ）は輸注液の流動状態を示す流量制御チップ１の正面図（図２（ａ）に対応する図）、図３（ｂ）は輸注液の流動状態を示す流量制御チップ１の断面図（図２（ｂ）に対応する図）、図３（ｃ）は輸注液の流動状態を示す流量制御チップ１の背面図である。
【００１５】
これらの図に示す流量制御チップ１は、合成樹脂材料（例えば、ポリエチレン（ＰＥ）、ポリプロピレン（ＰＰ）、ポリアミド（ＰＡ））で形作られたチップ本体８と、チップ本体８の正面側を覆うように固定された弾性変形可能で且つ透明な合成樹脂材料（例えば、ポリエチレン（ＰＥ）、ポリプロピレン（ＰＰ）、ポリアミド（ＰＡ））製の第１フィルム１０と、チップ本体８の裏面側を覆うように固定された弾性変形可能で且つ透明な合成樹脂材料（例えば、ポリエチレン（ＰＥ）、ポリプロピレン（ＰＰ）、ポリアミド（ＰＡ））製の第２フィルム１１と、を備えている。
【００１６】
チップ本体８は、正面形状が略矩形形状の板状体である輸注液流路形成部１２と、輸注液流路形成部１２の長手方向（Ｙ軸方向）一端側に一体に形成されたパイプ状の輸注液導入路形成部１３と、輸注液流路形成部１２の長手方向（Ｙ軸方向）他端側に一体に形成されたパイプ状の輸注液供給路形成部１４と、を有している。
【００１７】
輸注液導入路形成部１３は、ボトル針４から延びるチューブ５の端部が嵌合され、輸液ボトル３内の輸注液をチューブ５を介して輸注液流路形成部１２の内部空間（第１輸注液溜まり１５）に導入する輸注液導入路１６が形成されている。また、輸注液導入路形成部１３は、嵌合されたチューブ５が抜けるのを防止するためのリング状の第１抜け止め突起１７が外周面に形成されている。この第１抜け止め突起１７は、外表面が円弧形状であり、チューブ５を弾性変形させた状態で円滑に嵌合できるようになっている。
【００１８】
輸注液流路形成部１２は、輸注液導入路１６に連通する第１輸注液溜まり１５が一端側に形成されている。この第１輸注液溜まり１５は、輸注液流路形成部１２の表裏に開口する矩形形状の穴であり、輸注液流路形成部１２の表裏の開口部分が第１フィルム１０及び第２フィルム１１で塞がれている。また、輸注液流路形成部１２は、第１輸注液溜まり１５と第２輸注液溜まり１８とを接続するラビリンス状の減圧流路２０が形成されている。この減圧流路２０は、表面側と裏面側の２層構造であり、第１輸注液溜まり１５から表面側の第１減圧流路部２０ａに流れ込んだ輸注液が第１接続路２０ｂを介して裏面側の第２減圧流路部２０ｃに案内され、第２減圧流路部２０ｃを流れた輸注液が第２接続路２０ｄを介して裏面側の第３減圧流路部２０ｅに案内され、第３減圧流路部２０ｅを流れた輸注液が第３接続路２０ｆを介して表面側の第４減圧流路部２０ｇに案内され、第４減圧流路部２０ｇを流れた輸注液が第４接続路２０ｈを介して表面側の第５減圧流路部２０ｉに案内され、第５減圧流路部２０ｉを流れた輸注液が第５接続路２０ｊを介して第２輸注液溜まり１８に滴下するようになっている。この減圧流路２０は、第１乃至第５減圧流路部２０ａ，２０ｃ，２０ｅ，２０ｇ，２０ｉが規則的に複数折れ曲がりながら延びる狭い流路になっている。そして、この減圧流路２０は、第１輸注液溜まり１５内の輸注液が所定の時間内に所定数（所定量）だけ第２輸注液溜まり１８に滴下するように（所定の輸液速度になるように）、流路幅、流路深さ、及び流路長さが設定されている。なお、図３において、輸注液の流動方向を太い線の矢印で示してある。
【００１９】
また、輸注液流路形成部１２は、第２輸注液溜まり１８と第３輸注液溜まり２１とを第６接続路２２を介して接続している。第２輸注液溜まり１８は、輸注液流路形成部１２の表裏に開口する矩形形状の穴であり、輸注液流路形成部１２の表裏の開口部分が第１フィルム１０及び第２フィルム１１によって塞がれている。この第２輸注液溜まり１８は、外部から内部の輸注液２３の滴下状態を観察できるようになっており、看護師等が輸注液２３の滴下状態を視覚的に確認することができる（図３参照）。第３輸注液溜まり２１は、輸注液流路形成部１２の表裏に開口する丸穴であり、輸注液流路形成部１２の他端側に形成され、輸注液流路形成部１２の表裏の開口部分が第１フィルム１０及び第２フィルム１１によって塞がれている。また、第３輸注液溜まり２１は、内部がメッシュフィルタ２４によって２室に分けられている。メッシュフィルタ２４によって分けられた第３輸注液溜まり２１の第１室２５は、第６接続路２２が開口するようになっている。また、メッシュフィルタ２４によって分けられた第３輸注液溜まり２１の第２室２６は、第６接続路２２を介して第１室２５に流れ込んだ輸注液がメッシュフィルタ２４を通過した後に流れ込むようになっている。
【００２０】
メッシュフィルタ２４は、第３輸注液溜まり２１に形成されたフィルタ設置段部２７に嵌合固定され、第１室２５内に流れ込んだ輸注液内の気泡及び異物を除去し、気泡及び異物が除去された輸注液を第２室２６内に流入させるようになっている。このメッシュフィルタ２４は、円筒状の外筒２４ａの内側にフィルタ部２４ｂが形成され、フィルタ部２４ｂに四角形状の開口部が多数形成されている。このような形状及び機能を有するメッシュフィルタ２４は、合成樹脂材料（例えば、ポリエチレン（ＰＥ）、ポリプロピレン（ＰＰ）、ポリアミド（ＰＡ））で形作されており、射出成形によって高精度に形成されている。なお、メッシュフィルタ２４は、開口部の一辺の長さが、例えば、０．１〜１．０ｍｍに形成されている。
【００２１】
輸注液供給路形成部１４は、開閉弁７から延びるチューブ５の端部が嵌合され、第３輸注液溜まり２１の第２室２６とチューブ５とを接続する輸注液供給路２８が形成されている。また、輸注液供給路形成部１４は、嵌合されたチューブ５が抜けるのを防止するためのリング状の第２抜け止め突起３０が外周面に形成されている。この輸注液供給路形成部１４の第２抜け止め突起３０は、輸注液導入路形成部１３の第１抜け止め突起１７と同様に、外表面が円弧形状であり、チューブ５を弾性変形させた状態で円滑に嵌合できるようになっている。
【００２２】
第１フィルム１０及び第２フィルム１１は、輸注液流路形成部１２の正面形状と同一の形状（略矩形形状）であり、同一の合成樹脂材料で同一の肉厚に形成されている。したがって、本実施例の流量制御チップ１は、輸注液流路形成部１２の正面側に第１フィルム１０を固定し、輸注液流路形成部１２の裏面側に第２フィルム１１を固定する場合に限定されず、輸注液流路形成部１２の正面側に第２フィルム１１を固定し、輸注液流路形成部１２の裏面側に第１フィルム１０を固定するようにしてもよい。
【００２３】
このような構成の流量制御チップ１を備えた輸液セット２は、開閉弁７でチューブ５の流路を閉じた状態でボトル針４を輸液ボトル３に差し込み、流量制御チップ１の第１フィルム１０及び第２フィルム１１を第２輸注液溜まり１８の内方へ押し込むように複数回揉むことにより、輸注液が第５接続路２０ｊから第２輸注液溜まり１８に滴下して溜まる。そして、この流量制御チップ１を備えた輸液セット２は、輸注液が第２輸注液溜まり１８の空間に１／３〜１／２程度溜まると、開閉弁７でチューブ５の流路を開き、輸注液を留置針６の先端まで満たした後、留置針６を患者の体（腕等）に差し込み、輸液が開始されるようになっている。
【００２４】
このような本実施例に係る流量制御チップ１は、輸注液を減圧流路２０で減圧して第２輸注液溜まり１８内に所定の速度で滴下することが可能となり、輸液速度を一定速度に保持できるため、人為的操作による輸液速度調整が不要になり、人為的操作に起因する輸液速度の調整ミスを防止でき、患者等の第３者による輸液セット２の不正操作を防止できる。なお、流量制御チップ１は、輸液速度毎に用意されており、医師の指示に従った輸液速度のものが選択されて使用される。
【００２５】
また、本実施例に係る流量制御チップ１は、第３輸注液溜まり２１にメッシュフィルタ２４を設置してあるため、患者に供給される輸注液中の気泡及び異物をメッシュフィルタ２４で除去することが可能である。
【００２６】
［第２実施例］
図４は、本発明の第２実施例に係る流量制御チップ３１及びこの流量制御チップ３１を備えた輸液セット３２の使用状態を示す図である。この図４に示すように、輸液セット３２は、輸液スタンド（図示せず）に吊された輸液ボトル３に差し込まれるボトル針４と、ボトル針４が一端に取り付けられたチューブ５と、チューブ５の他端に取り付けられて患者の体に差し込まれる留置針６と、ボトル針４と留置針６とを接続するチューブ５の途中に配置された点滴筒３３と、点滴筒３３にチューブ５を介して接続された流量制御チップ３１と、流量制御チップ３１と留置針６との間のチューブ５に配置される開閉弁７と、を備えている。この図４に示す輸液セット３２は、図６に示した従来の輸液セット１００と比較して、従来の輸液セット１００のクレンメ１０６を流量制御チップ３１と開閉弁７に置き換えた構成になっている。
【００２７】
図５は、流量制御チップ３１の詳細を示す図である。なお、図５（ａ）は流量制御チップ３１の正面図、図５（ｂ）は図５（ａ）のＡ２−Ａ２線に沿って切断して示す流量制御チップ３１の断面図、図５（ｃ）は図５（ａ）の矢印Ｂ２方向から見た流量制御チップ３１の平面図である。
【００２８】
図５に示す流量制御チップ３１は、合成樹脂材料（例えば、ポリエチレン（ＰＥ）、ポリプロピレン（ＰＰ）、ポリアミド（ＰＡ））で形作られたチップ本体３４と、チップ本体３４の正面側を覆うように固定された弾性変形可能で且つ透明な合成樹脂材料（例えば、ポリエチレン（ＰＥ）、ポリプロピレン（ＰＰ）、ポリアミド（ＰＡ））製のフィルム３５と、を備えている。
【００２９】
チップ本体３４は、正面形状が略矩形形状の板状体である輸注液流路形成部３６と、輸注液流路形成部３６の長手方向（Ｙ軸方向）一端側に一体に形成されたパイプ状の輸注液導入路形成部３７と、輸注液流路形成部３６の長手方向（Ｙ軸方向）他端側に一体に形成されたパイプ状の輸注液供給路形成部３８と、を有している。
【００３０】
輸注液導入路形成部３７は、ボトル針４から延びるチューブ５の端部が嵌合され、輸液ボトル３内の輸注液をチューブ５を介して輸注液流路形成部３６の内部空間（第１輸注液溜まり４０）に導入する輸注液導入路４１が形成されている。また、輸注液導入路形成部３７は、嵌合されたチューブ５が抜けるのを防止するためのリング状の第１抜け止め突起４２が外周面に形成されている。この第１抜け止め突起４２は、外表面が円弧形状であり、チューブ５を弾性変形させた状態で円滑に嵌合できるようになっている。
【００３１】
輸注液流路形成部３６は、輸注液導入路４１に連通する第１輸注液溜まり４０が長手方向（Ｙ軸方向）の一端側に形成されている。この第１輸注液溜まり４０は、輸注液流路形成部３６の表面側に開口する有底の矩形形状の穴であり、輸注液流路形成部３６の表面側の開口部分がフィルム３５で塞がれている。また、輸注液流路形成部３６は、第１輸注液溜まり４０と第２輸注液溜まり４３とを接続するラビリンス状の減圧流路４４が形成されている。この減圧流路４４は、表面側にのみ形成され、第１輸注液溜まり４０から第１減圧流路部４４ａに流れ込んだ輸注液が第１接続路４４ｂを介して第２減圧流路部４４ｃに案内され、第２減圧流路部４４ｃを流れた輸注液が第２接続路４４ｄを介して第３減圧流路部４４ｅに案内され、第３減圧流路部４４ｅを流れた輸注液が第３接続路４４ｆを介して第２輸注液溜まり４３に滴下するようになっている。この減圧流路４４は、第１乃至第３減圧流路部４４ａ，４４ｃ，４４ｅが規則的に複数折れ曲がりながら延びる狭い流路になっている。そして、この減圧流路４４は、第１輸注液溜まり４０内の輸注液が所定の時間内に所定数（所定量）だけ第２輸注液溜まり４３に滴下するように（所定の輸液速度になるように）、流路幅、流路深さ、及び流路長さが設定されている。
【００３２】
また、輸注液流路形成部３６の第２輸注液溜まり４３は、輸注液流路形成部３６の表面側に開口する有底の丸穴であり、輸注液流路形成部３６の長手方向（Ｙ軸方向）の他端側に形成され、輸注液流路形成部３６の表面側の開口部分がフィルム３５によって塞がれている。また、第２輸注液溜まり４３は、内部がメッシュフィルタ４５によって２室に分けられている。メッシュフィルタ４５によって分けられた第２輸注液溜まり４３の第１室４６は、第３接続路４４ｆが開口するようになっている。また、メッシュフィルタ４５によって分けられた第２輸注液溜まり４３の第２室４７は、第３接続路４４ｆを介して第１室４６に流れ込んだ輸注液がメッシュフィルタ４５を通過した後に流れ込むようになっている。
【００３３】
メッシュフィルタ４５は、第２輸注液溜まり４３に形成されたフィルタ設置段部４８に嵌合固定され、第１室４６内に流れ込んだ輸注液内の気泡及び異物を除去し、気泡及び異物が除去された輸注液を第２室４７内に流入させるようになっている。このメッシュフィルタ４５は、円筒状の外筒４５ａの内側にフィルタ部４５ｂが形成され、フィルタ部４５ｂに四角形状の開口部が多数形成されている。このような形状及び機能を有するメッシュフィルタ４５は、合成樹脂材料（例えば、ポリエチレン（ＰＥ）、ポリプロピレン（ＰＰ）、ポリアミド（ＰＡ））で形作されており、射出成形によって高精度に形成されている。なお、メッシュフィルタ４５は、開口部の一辺の長さが、例えば、０．１〜１．０ｍｍに形成されている。
【００３４】
輸注液供給路形成部３８は、開閉弁７から延びるチューブ５の端部が嵌合され、第２輸注液溜まり４３の第２室４７とチューブ５とを接続する輸注液供給路５０が形成されている。また、輸注液供給路形成部３８は、嵌合されたチューブ５が抜けるのを防止するためのリング状の第２抜け止め突起５１が外周面に形成されている。この輸注液供給路形成部３８の第２抜け止め突起５１は、輸注液導入路形成部３７の第１抜け止め突起４２と同様に、外表面が円弧形状であり、チューブ５を弾性変形させた状態で円滑に嵌合できるようになっている。
【００３５】
このような構成の流量制御チップ３１を備えた輸液セット３２は、開閉弁７でチューブ５の流路を閉じた状態でボトル針４を輸液ボトル３に差し込み、点滴筒３３を複数回揉むことにより、輸注液が点滴筒３３内に滴下して溜まる。そして、この流量制御チップ３１を備えた輸液セット３２は、輸注液が点滴筒３３の空間に１／３〜１／２程度溜まると、開閉弁７でチューブ５の流路を開き、輸注液を流量制御チップ３１を介して留置針６の先端まで満たした後、留置針６を患者の体（腕等）に差し込むことにより、輸液が開始されるようになっている。輸液速度は、流量制御チップ３１によって一定速度に制御されるが、点滴筒３３への輸注液の滴下速度を観察することによって、看護師等が目視で確認することができる。
【００３６】
このような本実施例に係る流量制御チップ３１は、輸注液を減圧流路４４で減圧して第２輸注液溜まり４３内に所定の速度で滴下することが可能になり、輸液速度を一定速度に保持できるため、人為的操作による輸液速度調整が不要になり、人為的操作に起因する輸液速度の調整ミスを防止でき、患者等の第３者による輸液セット３２の不正操作を防止することができる。なお、流量制御チップ３１は、輸液速度毎に用意されており、医師の指示に従った輸液速度のものが選択されて使用される。
【００３７】
また、本実施例に係る流量制御チップ３１は、第２輸注液溜まり４３にメッシュフィルタ４５を設置してあるため、患者に供給される輸注液中の気泡及び異物をメッシュフィルタ４５で除去することが可能である。
【００３８】
なお、本発明に係る流量制御チップ１，３１は、輸液の対象が人間である上記各実施例に限定されるものでなく、輸液の対象が動物である場合にも同様に適用できる。また、本発明に係る流量制御チップ１，３１は、肥料、水等を植物に供給する場合にも適用できる。
【００３９】
また、本発明に係る流量制御チップ１，３１は、輸液速度毎に色を変えて着色及び／又は輸液速度毎に番号を付し、輸液速度毎に適切に選択できるようにすることが好ましい。
【符号の説明】
【００４０】
１，３１……流量制御チップ、２，３２……輸液セット、３……輸液ボトル、５……チューブ、７……開閉弁、２０，４４……減圧流路
【図１】
0006714419.tif 000002
【図２】
0006714419.tif 000003
【図３】
0006714419.tif 000004
【図４】
0006714419.tif 000005
【図５】
0006714419.tif 000006
【図６】
0006714419.tif 000007
【図７】
0006714419.tif 000008